(57)【要約】【課題】肘掛の高さ調節が可能で、さらに幅方向への肘の安定性を高めることにより、着座中における快適な姿勢を実現することができる座椅子を提供する。【解決手段】本考案の座椅子は、座部２と、背もたれ３と、肘掛４とを備える座椅子１であって、前記肘掛４に、肘掛上部８を水平方向に屈曲させることのできるラチェット金具Ｂを具備する。また肘掛４は、座部２の両側方に突出した一対の水平部５と、該水平部５より立設した垂直部６と、垂直部６間に跨設した上部水平部７からなり、垂直部６の略中央部分にラチェット金具Ｂを具備することができる。さらに、前記肘掛４の水平部５と垂直部６をラチェット金具Ｃで連結してもよい。【選択図】図１
0003149624.tif 000002
【実用新案登録請求の範囲】
【請求項１】
座部と、背もたれと、肘掛とを備える座椅子であって、前記肘掛に、肘掛上部を水平方向に屈曲させることのできるラチェット金具を具備したことを特徴とする座椅子。
【請求項２】
前記肘掛が、座部の両側方に突出した一対の水平部と、該水平部より立設した垂直部と、垂直部間に跨設した上部水平部とからなり、垂直部の略中央部分に前記ラチェット金具を具備する請求項１記載の座椅子。
【請求項３】
前記肘掛の水平部と垂直部とをラチェット金具で連結した請求項１または２記載の座椅子。
【考案の詳細な説明】
【技術分野】
【０００１】
本考案は、座椅子に関し、特に着座中における快適な姿勢を実現することができる座椅子に関する。
【背景技術】
【０００２】
座部に対し、背もたれを角度調節可能に連結した座椅子があり、かかる座椅子は、着座したままで容易に傾き角度を調節できるという特徴がある。また、座部の両側部に、肘掛用の肘掛部を立設した利便性の高い座椅子も市販されている。
【０００３】
また、座椅子の肘掛に特徴を有する従来技術として、座椅子や事務用椅子に座ってワープロやパソコン作業を行う場合でも、楽に作業を行うことができる肘掛け構造が報告されている（例えば、特許文献１参照）。
上掲特許文献１の肘掛け構造は、座部取付部、肘掛け支柱および固定部材よりなり、肘掛け支柱は回動可能とし、かつ固定部材を介して座部取付部に固定可能に取り付けたことを特徴とするものである。
【先行技術文献】
【特許文献】
【０００４】
【特許文献１】特開平１０−３３３０５号公報
【考案の概要】
【考案が解決しようとする課題】
【０００５】
しかしながら、従来の肘掛を具備した座椅子においては、肘掛は座部に一体的に固定されているため、着座中における肘の載置位置や高さは限定されていた。また、特許文献１の肘掛け構造は、肘の載置位置を任意に設定することができるが、肘掛けの高さを調節することができず、高い利便性は得られなかった。また、幅方向における肘の安定性も低下するという問題があった。
【０００６】
そこで、本考案は上記の点に鑑み、肘掛の高さ調節が可能で、さらに幅方向への肘の安定性を高めることにより、着座中における快適な姿勢を実現することができる座椅子を提供することにある。
【課題を解決するための手段】
【０００７】
上記課題を解決するため、本考案の座椅子は、座部と、背もたれと、肘掛とを備える座椅子であって、前記肘掛に、肘掛上部を水平方向に屈曲させることのできるラチェット金具を具備したことを特徴とするものである。
【０００８】
本考案の座椅子においては、好適には前記肘掛が、座部の両側方に突出した一対の水平部と、該水平部より立設した垂直部と、垂直部間に跨設した上部水平部とからなり、垂直部の略中央部分に前記ラチェット金具を具備するものとすることができる。
【０００９】
また、好適には前記肘掛の水平部と垂直部とをラチェット金具で連結したものとすることができる。
【考案の効果】
【００１０】
本考案によれば、座椅子の肘掛に、肘掛上部を水平方向に屈曲させるラチェット金具を具備したことにより、肘掛の高さを自在に調節することができる。また、肘掛の水平部と垂直部とをラチェット金具で連結したことで、肘掛の幅方向への移動が可能となるため、着座中における利便性をより高めることができる。
【図面の簡単な説明】
【００１１】
【図１】本考案の座椅子の内部構造を示す全体斜視図である。
【図２】前記座椅子の全体斜視図である。
【図３】前記座椅子の使用状態の正面図である。
【図４】他の好適例である座椅子の内部構造を示す全体斜視図である。
【図５】前記座椅子の使用状態の正面図である。
【考案を実施するための形態】
【００１２】
以下、本考案における座椅子の実施の形態を図面を参照しながら説明する。
図１および図２に示す座椅子１は、座部２、背もたれ３、肘掛４とを備えている。座部２、背もたれ３および肘掛４は、形状化された中空状のパイプ１０を芯材とし、かかるパイプ１０に緩衝材１１およびカバー１２を被覆することにより形成されている。また、座部２に対して背もたれ３は角度調節可能なラチェット金具Ａで連結されている。なお、座部２および背もたれ３は、ガス圧シリンダーを具備した角度調節装置により連結してもよい。
【００１３】
また、特に、座椅子１の肘掛４には、肘掛上部８を水平方向に屈曲させるラチェット金具Ｂが具備されている。
【００１４】
肘掛４は、座部２の両側方に突出した一対の水平部５と、該水平部５より立設した垂直部６と、垂直部６間に跨設した上部水平部７からなる。また、肘掛４の垂直部６の略中央部分には、ラチェット金具Ｂが具備されている。
【００１５】
ラチェット金具Ｂを操作することにより、図３に示すように肘掛上部８を任意の角度に保持することができる。この際、垂直状態の肘掛４の肘掛上部８を一旦内側（身体側）に押し込み、ラチェット金具Ｂのロックを解除し、肘掛上部８を水平状態より下方にまで折曲させる。その後、肘掛上部８を任意の角度まで持ち上げることでラチェット歯（図示せず）がロックされた状態となり、肘掛上部８を任意の角度で係止させることができる。
【００１６】
また、他の好適例として、図４及び図５に示すように、肘掛４の水平部５と垂直部６をラチェット金具Ｃで連結することが望ましい。水平部５の先端部及び垂直部６の基端部に、ラチェット金具Ｃを装着することにより、図５に示すように、肘掛４を基部より両側方に折曲させることが可能になり、肘掛４の幅方向への移動も可能になる。
【００１７】
次に、本考案の座椅子の使用方法を図３及び図５を参照しながら説明する。
図３は、肘掛上部８を水平方向に屈曲させるラチェット金具Ｂが具備されている座椅子であり、図５は、肘掛４の水平部５と垂直部６をラチェット金具Ｃで連結した座椅子を示す。
【００１８】
通常は図３の（ａ）に示すように、肘掛４を垂直状態に保持させて使用する。
肘掛上部８を水平方向に屈曲させて使用するには、垂直状態の肘掛４の肘掛上部８を一旦内側（身体側）に押し込み、ラチェット金具Ｂのロック状態を解除する。次に、肘掛上部８を水平状態より下方にまで折曲させ、（ｂ）に示すように、任意の角度まで持ち上げる。そのことで、ラチェット歯がロックされた状態となり、肘掛上部８を任意の角度で係止させることができる。また図（ｃ）に示すように、肘掛上部８を上部に引き上げることで、ラチェット機能により肘掛上部８の折曲角度を任意に調節することができる。
【００１９】
図５に示す、肘掛４の水平部５と垂直部６をラチェット金具Ｃで連結した座椅子においては、通常は（ａ）に示すように、肘掛４を垂直状態に保持させて使用する。
肘掛４を基部より折曲させるには、垂直状態の肘掛４を一旦内側（身体側）に押し込み、ラチェット金具Ｃのロック状態を解除する。次に、肘掛４を水平状態より下方にまで折曲させ、任意の角度まで持ち上げる。そのことで、ラチェット歯がロックされた状態となり、（ｂ）に示すように、肘掛４を任意の角度に係止させることができる。
【００２０】
また、ラチェット金具Ｃにて肘掛４を任意の角度に係止させるとともに、ラチェット金具Ｂにて肘掛上部８を任意の角度に係止させることで、（ｃ）に示すように、肘掛４及び肘掛上部８を任意角度に折曲することができる。
【００２１】
肘掛４の略中央部にラチェット金具Ｂを具備し、さらに肘掛４の水平部５と垂直部６をラチェット金具Ｃで連結したことで、肘掛４の上下と幅方向への移動が可能となり、着座中における利便性をより高めることができる。
【００２２】
なお、本考案の座椅子は、肘掛にラチェット金具を設けたことで、上述の様々な効果を発揮することができるが、前記座椅子に限定されるものではなく、脚部付きの椅子、ソファー、ロッキングチェアー等の様々な椅子に利用できることは言うまでもない。
【符号の説明】
【００２３】
１  座椅子
２  座部
３  背もたれ
４  肘掛
５  水平部
６  垂直部
７  上部水平部
８  肘掛上部
１０  パイプ
１１  緩衝材
１２  カバー
Ａ  ラチェット金具
Ｂ  ラチェット金具
Ｃ  ラチェット金具
【図１】
0003149624.tif 000003
【図２】
0003149624.tif 000004
【図３】
0003149624.tif 000005
【図４】
0003149624.tif 000006
【図５】
0003149624.tif 000007